(57)【要約】【課題】既存の害獣の捕獲器に取り付けて捕獲した害獣を収容する駆除箱と、駆除箱内に窒息性ガスを供給するガス供給源とを備えた害獣の駆除セットの提供を目的とする。【解決手段】害獣の捕獲器に接続され、捕獲された害獣を捕獲器から移して収容する駆除箱と、箱体内に窒息性ガスを供給するガス供給源とを備える害獣の駆除セットであり、駆除箱には、入口部とガス流入口を備えて入口部を除いて気密に形成され、害獣を収容する容積を備える箱体と、入口部を開閉するシャッタ板及び捕獲器の開口部に入口部を接続できる取付具とがあり、ガス供給源は窒息性ガスが充填されたガスボンベであり、捕獲器に捕らえられた害獣が駆除箱に移動したら、駆除箱を捕獲器から切り離し、駆除箱内の空気をガス供給源からの窒息性ガスで置き換えて害獣を殺処分する。【選択図】図２
2020156384.tif 000002
【特許請求の範囲】
【請求項１】
捕獲器に接続され、捕獲された害獣を前記捕獲器から移して収容する駆除箱と、前記駆除箱内に窒息性ガスを供給するガス供給源とを備える害獣の駆除セットであって、
前記駆除箱は、
入口部と少なくとも１つのガス流入口を備え、前記入口部以外の部分が気密構造になっており、害獣を収容する容積を備える箱体と、
前記入口部を開閉するシャッタ板、及び
前記捕獲器の開口部に前記入口部を接続する取付部とを備え、
前記ガス供給源は、窒息性ガスが充填されたガスボンベであり、
前記害獣を収容した状態の前記駆除箱は前記捕獲器から切り離し、前記駆除箱内の空気を前記ガス供給源から供給する窒息性ガスで置き換えることにより、前記害獣を殺処分する害獣の駆除セット。
【請求項２】
前記害獣の駆除セットが更に、前記駆除箱内に供給する窒息性ガスの圧力を調整する圧力調整器と前記ガス流入口とを接続するチューブを備え、
前記圧力調整器が前記チューブによって前記ガス流入口に接続されて前記駆除箱内の空気が窒息性ガスで置き換えられる請求項１に記載の害獣の駆除セット。
【請求項３】
前記害獣の駆除セットが更に、前記駆除箱を収容できる樹脂製の袋と前記駆除箱内の空気を前記樹脂製の袋の外に排出できる排気チューブとを備え、
前記排気チューブは、その一端が前記駆除箱の内部に連通した状態で前記駆除箱に取り付けられ、
前記樹脂製の袋の開口部は、前記害獣が入った前記駆除箱が前記樹脂製の袋の中に入れられ、前記排気チューブの他端が前記樹脂製の袋の外に出た状態で閉じられ、
この状態で前記ガス供給源から前記樹脂製の袋の内部に窒息性ガスが供給されて、前記駆除箱内の空気が窒息性ガスで置き換えられる請求項１に記載の害獣の駆除セット。
【請求項４】
前記害獣の駆除セットが更に、前記駆除箱を上から入れる開口部を備え、前記駆除箱の側面に対向する壁面と底面とを備えるガス溜め容器とを備え、
前記窒息性ガスとして、空気より重い二酸化炭素を使用し、
前記ガス供給源から前記開口部を通じて前記ガス溜め容器内に窒息性ガスを供給することにより、前記駆除箱内の空気が窒息性ガスで置き換えられる請求項１に記載の害獣の駆除セット。
【請求項５】
捕獲器に接続され、捕獲された害獣を前記捕獲器から移して収容する駆除箱、前記駆除箱内に窒息性ガスを供給するガス供給源、前記駆除箱を収容できる樹脂製の袋、及び前記駆除箱内の空気を前記樹脂製の袋の外に排出できる排気チューブとを備える害獣の駆除セットであって、
前記駆除箱は、
入口部と少なくとも１つのガス流入口を備え、前記入口部以外の部分が気密構造になっており、害獣を収容する容積を備える箱体と、
前記入口部を開閉するシャッタ板、及び
前記捕獲器の開口部に前記入口部を接続する取付部とを備え、
前記ガス供給源はドライアイスであり、
前記排気チューブは、その一端が前記駆除箱の内部に連通した状態で前記駆除箱に取り付けられ、
前記害獣を収容した状態の前記駆除箱は前記捕獲器から切り離し、前記樹脂製の袋の開口部は、前記害獣が入った前記駆除箱が前記樹脂製の袋の中に入れられて前記排気チューブの他端が前記樹脂製の袋の外に出た状態で閉じられ、
この状態で前記樹脂製の袋内に前記ドライアイスが置かれ、前記駆除箱内の空気が前記ドライアイスから発生した二酸化炭素で置き換えられる害獣の駆除セット。
【請求項６】
前記害獣の駆除セットが更に減圧装置を備え、
前記樹脂製の袋内の空気の圧力を減圧してから前記樹脂製の袋内に前記窒息性ガスを供給する請求項３に記載の害獣の駆除セット。
【請求項７】
前記害獣の駆除セットが更に排気ポンプを備え、
前記駆除箱は、前記入口部を含めて全体が気密構造になっており、
前記駆除箱には、前記ガス流入口から離れた位置に排気口が設けられており、
前記排気口に接続した前記排気ポンプにより前記駆除箱内の空気を排気することにより、前記駆除箱内の空気を前記窒息性ガスに置き換える請求項１または２に記載の害獣の駆除セット。
【請求項８】
前記窒息性ガスは、空気より重い二酸化炭素ガスであり、前記窒息性ガスの供給時には、前記駆除箱の前記入口部が上側にされる請求項１または２に記載の害獣の駆除セット。
【請求項９】
前記窒息性ガスは、空気より軽い窒素ガスであり、前記窒息性ガスの供給時には、前記駆除箱の前記入口部が下側にされる請求項１または２に記載の害獣の駆除セット。
【請求項１０】
前記箱体内には、前記ガス流入口に接続する漏斗状の吸引補助具が設けられており、前記吸引補助具の前記ガス流入口側には、害獣のエサ箱が設けられている請求項１又は２に記載の害獣の駆除セット。
【請求項１１】
前記箱体は、側面が前記入口部から底部にかけて、前記箱体の前記入口部に平行な断面積が減少する方向に傾斜しており、前記箱体に前記シャッタ板が取り付けられていない状態で重ねることができる請求項１から１０の何れか１項に記載の害獣の駆除セット。
【請求項１２】
前記箱体の上部に、前記箱体を持ち上げることができるハンドルが設けられている請求項１から１１の何れか１項に記載の害獣の駆除セット。
【請求項１３】
捕獲器に接続され、捕獲された害獣を前記捕獲器から移して収容する駆除箱と、前記駆除箱内に窒息性ガスを供給するガス供給源とを備える害獣の駆除セットを用いた害獣の駆除方法であって、
前記駆除箱は、入口部と少なくとも１つのガス流入口を備え、前記入口部以外の部分が気密構造になっており、前記害獣を収容する容積を備える箱体と、前記入口部を開閉するシャッタ板、及び前記捕獲器の開口部に前記入口部を接続できる取付部とを備え、
前記ガス供給源は、前記駆除箱に窒息性ガスを供給できるものであり、
前記捕獲器に害獣が捕獲されたら、
前記捕獲器に前記駆除箱を接続して前記捕獲器に設けられた害獣排出扉と前記シャッタ板とを開けて前記捕獲器と前記駆除箱とを連通させ、
前記捕獲器に捕らえられた害獣を、前記害獣排出扉と前記入口部とを通して前記駆除箱内に移動させて収容し、
前記駆除箱内に害獣が収容されたら、前記シャッタ板で前記入口部を閉じた後に、前記駆除箱を前記捕獲器から切り離し、
前記害獣を収容した状態の前記駆除箱に対して、前記駆除箱内の空気を前記ガス供給源から供給する窒息性ガスで置き換えることにより、前記害獣を殺処分する害獣の駆除セットを用いた害獣の駆除方法。
【発明の詳細な説明】
【技術分野】
【０００１】
本発明は、害獣の駆除セット及び害獣の駆除セットを用いた害獣の駆除方法に関し、害獣が捕獲された捕獲器から害獣を移動させて収容する駆除箱と、駆除箱内に窒息性ガスを供給するガス供給源とを備える害獣の駆除セット及び害獣の駆除セットを用いた害獣の駆除方法に関する。
【背景技術】
【０００２】
従来、口で餌を捕食する野生動物であるネズミ用の捕獲器として、針金でできたネズミ捕り籠が知られている。ネズミ捕り籠は、トリガーとなる針金にエサを付け、籠の中に侵入したネズミがエサを引っ張ると入口の蓋が閉まる仕掛けである。しかし近年、ネズミより大きい野生動物、例えばアライグマ、ハクビシン、猿などの人間に被害を与える野生動物（以後、人間に被害を与える野生動物を害獣と記す）の数が増え、被害が広がっている。これは害獣の生息域が広がったためであり、その原因としては過疎化による山際での人口減少や、害獣の人間の生活環境への対応能力の向上が考えられる。
【０００３】
これらの害獣の中でも、特にアライグマはアライグマ回虫、狂犬病、レプトスピラ症等の人畜共通の感染症のキャリアになる可能性が大きく、現在の生息域が大都市に近づいていることから、その捕獲処分が害獣管理上の最優先課題となっている。このような害獣による被害に対して、特に被害の大きいアライグマを捕獲するために、アライグマの習性を利用した捕獲籠が特許文献１に開示されている。
【０００４】
特許文献１に開示の捕獲籠では、アライグマが籠内に侵入し、餌を取ろうとして両手で餌の入った餌籠を手前に引っ張ると、餌籠に接続するワイヤーロープが引っ張られて前扉のロックが外れ、前扉が閉じることにより、アライグマを捕獲するようになっている。捕獲されたアライグマは、後扉に接続した独立した第２の捕獲籠に、後扉を開けた状態で追い込んで移される。アライグマを収容した第２の捕獲籠は通常、捕獲籠から取り外されて別の場所にある処分場に搬送され、そこで殺処分される。これは捕獲籠で次のアライグマを捕獲するためである。
【先行技術文献】
【特許文献】
【０００５】
【特許文献１】実用新案登録第３１７０５５５号公報
【発明の概要】
【発明が解決しようとする課題】
【０００６】
ところが、捕獲籠にアライグマが捕獲される毎に第２の捕獲籠でアライグマを生きたまま殺処分場まで運ぶのはかなり大変である。そこで、アライグマを捕獲した第２の捕獲籠を収容できるより大きな密閉容器に入れ、その密閉容器内に窒息性ガスを送り込み、捕獲したアライグマを捕獲籠の近くで殺処分する方法が考えられた。ここで言う窒息性ガスとは、それ自体は有害ではないが、酸素供給を妨害して、呼吸する動物を窒息させて死に至らせるガスのことであり、例えば、窒素、二酸化炭素、不活性ガス、低分子の炭化水素等がこれに相当する。また、ホスゲン、塩素など、動物に中毒を起こさせる有毒ガスを含めることもある。
【０００７】
しかし、この方法には、捕獲籠にアライグマが捕獲される毎に、第２の捕獲籠を収容できる大型の密閉容器と、密閉容器に窒息性ガス、例えば二酸化炭素を供給できる７ｋｇ程度の重量ボンベとを備える大がかりな殺処分セットを捕獲籠の近くに運び込む必要があり、手間がかかるという課題があった。
【０００８】
本発明は、アライグマを含む既存の害獣の捕獲器に接続した駆除箱に、害獣を移動させて収容した状態で、駆除箱を捕獲器から切り離すだけで簡単に害獣をその場で殺処分することができる小型で簡素な害獣の駆除セット及びこの害獣の駆除セットを使用した害獣の駆除方法を提供することを目的とするものである。
【課題を解決するための手段】
【０００９】
前記目的を達成する本発明の害獣の駆除セットの第１の形態は、捕獲器に接続され、捕獲された害獣を捕獲器から移して収容する駆除箱と、駆除箱内に窒息性ガスを供給するガス供給源とを備える害獣の駆除セットであって、駆除箱は、入口部と少なくとも１つのガス流入口を備え、入口部以外の部分が気密構造になっており、害獣を収容する容積を備える箱体と、入口部を開閉するシャッタ板、及び捕獲器の開口部に入口部を接続する取付部とを備え、ガス供給源は窒息性ガスが充填されたガスボンベであり、害獣を収容した状態の駆除箱は捕獲器から切り離し、駆除箱内の空気をガス供給源から供給する窒息性ガスで置き換えることにより、害獣を殺処分することを特徴としている。
【００１０】
前記目的を達成する本発明の害獣の駆除セットの第２の形態は、捕獲器に接続され、捕獲された害獣を捕獲器から移して収容する駆除箱、駆除箱内に窒息性ガスを供給するガス供給源、駆除箱を収容できる樹脂製の袋、及び駆除箱内の空気を樹脂製の袋の外に排出できる排気チューブとを備える害獣の駆除セットであって、駆除箱は、入口部と少なくとも１つのガス流入口を備え、入口部以外の部分が気密構造になっており、害獣を収容する容積を備える箱体と、入口部を開閉するシャッタ板、及び捕獲器の開口部に入口部を接続する取付部とを備え、ガス供給源はドライアイスであり、排気チューブは、その一端が駆除箱の内部に連通した状態で駆除箱に取り付けられ、害獣を収容した状態の駆除箱は捕獲器から切り離し、樹脂製の袋の開口部は、害獣が入った駆除箱が樹脂製の袋の中に入れられて排気チューブの他端が樹脂製の袋の外に出た状態で閉じられ、この状態で樹脂製の袋内にドライアイスが置かれ、駆除箱内の空気がドライアイスから発生した窒息性ガスで置き換えられて害獣を殺処分することを特徴としている。
【００１１】
また、前記目的を達成する本発明の害獣の駆除セットを利用した害獣の駆除方法は、捕獲器に接続され、捕獲された害獣を捕獲器から移して収容する駆除箱と、駆除箱内に窒息性ガスを供給するガス供給源とを備える害獣の駆除セットを用いた害獣の駆除方法であって、駆除箱は、入口部と少なくとも１つのガス流入口を備え、入口部以外の部分が気密構造になっており、害獣を収容する容積を備える箱体と、入口部を開閉するシャッタ板、及び捕獲器の開口部に入口部を接続できる取付部とを備え、ガス供給源は、駆除箱に窒息性ガスを供給できるものであり、捕獲器に害獣が捕獲されたら、捕獲器に駆除箱を接続して捕獲器に設けられた害獣排出扉とシャッタ板とを開けて捕獲器と駆除箱とを連通させ、捕獲器に捕らえられた害獣を、害獣排出扉と入口部とを通して駆除箱内に移動させて収容し、駆除箱内に害獣が収容されたら、シャッタ板で入口部を閉じた後に、駆除箱を捕獲器から切り離し、害獣を収容した状態の駆除箱に対して、駆除箱内の空気をガス供給源から供給する窒息性ガスで置き換えることにより、害獣を殺処分することを特徴としている。
【発明の効果】
【００１２】
本発明の害獣の駆除セット及びこのセットを用いた害獣の駆除方法によれば、害獣の捕獲器で捕獲した害獣を捕獲器に取り付けた駆除箱に移した後、捕獲器から切り離した駆除箱内の空気を小型のガス供給源からの窒息性ガスによって置き換えることによって、捕獲器のある現地で害獣を安楽死させて殺処分することができるので、害獣の駆除セットを小型化できると共に、害獣の駆除効率を向上させることができるという効果がある。すなわち、本発明では従来のように、捕獲器に害獣が捕獲されたら、市町村の役場の担当に電話して害獣を捕獲器ごと受け取り、処分場に運んで殺処分することがなくなる。また、本発明によれば、その場での害獣の殺処分に際して、７ｋｇ程度の大きくて重いボンベを車で現地に運び、捕獲器をこれより大きなガス容器の中に入れ、このガス容器に窒息性ガスを供給して殺処分する従来の方法に比べて、殺処分が簡単に行え、作業者の精神的負担が軽減できると共に、時間と手間が大きく低減されるという効果がある。
【図面の簡単な説明】
【００１３】
【図１】本発明の第１の形態の害獣の駆除セットを示す図である。
【図２】第１の形態の害獣の駆除セットを用いて、害獣の捕獲器に捕獲された害獣を殺処分する手順の一例を説明するフローチャートである。
【図３】第１の形態の害獣の駆除セットを用いた害獣の駆除手順を説明するものであり、（ａ）は害獣の捕獲器に害獣が捕獲された状態を示す図、（ｂ）は害獣が捕獲された捕獲器に、駆除セットの駆除箱を取り付けた状態を示す図、（ｃ）は（ｂ）に示した駆除箱のシャッタ板が開けられて害獣が捕獲器から駆除箱内に移動する状態を示す図、（ｄ）は害獣が収容された駆除箱を捕獲箱から切り離した状態を示す図である。
【図４】（ａ）は図３（ｄ）に示した駆除箱を、シャッタ板が上になるようにして地面に置いた状態で、駆除箱にガス供給装置を取り付けた状態を示す図、（ｂ）は（ａ）に示した状態の駆除箱に、ガス供給装置から駆除箱内に窒息性ガスとして空気より重い二酸化炭素ガスを供給し始めた状態を示す図、（ｃ）は（ｂ）に示した状態から所定時間経過して、駆除箱内に二酸化炭素ガスが充填された状態を示す図である。
【図５】（ａ）は図１に示した駆除箱の箱体に設けられたガス流入口が、シャッタ板を上にして地面に置いた時に、箱体の地面とシャッタ板の中間地点に設けられた実施例を示す駆除箱の側面図、（ｂ）は図１に示した駆除箱の箱体に設けられたガス流入口が、シャッタ板側を上にして地面に置いた時に、箱体の底部の近傍に２個所設けられた実施例を示す駆除箱の側面図、（ｃ）は図１に示した駆除箱の箱体にガスボンベから窒息性ガスを熱交換器で暖めてから供給し、熱交換器と同軸の排気ポンプで箱体内の空気を吸引する実施例を示す駆除箱の側面図、（ｄ）は図１に示した駆除箱の箱体のシャッタ板側に空気排出口が設けられた実施例を示す駆除箱の側面図である。
【図６】（ａ）は図１に示した駆除箱の箱体に設けられたガス流入口に、自転車のタイヤチューブに使用されるバルブが取り付けられた実施例を示す部分図、（ｂ）は図１に示した圧力調整器にガスボンベを取り付ける手順を示す図、（ｃ）は（ｂ）に示したガスボンベが取り付けられた圧力調整器を（ａ）に示したバルブに取り付ける手順を示す図、（ｄ）はガスボンベが取り付けられた圧力調整器からバルブを通じて駆除箱内にガスを送り込む手順を示す図である。
【図７】（ａ）は駆除箱内に取り付けることが可能なガス吸引補助具の一実施例を示す斜視図、（ｂ）は（ａ）に示したガス吸引補助具を駆除箱内に取り付ける手順を示す説明図、（ｃ）は駆除箱内に収容された害獣がガス吸引補助具に鼻先を突っ込む様子を示す図、（ｄ）は別の実施例のガス吸引補助具が駆除箱に取り付けられた状態を示す部分断面図である。
【図８】（ａ）は図３（ｄ）に示した駆除箱を、シャッタ板が下になるようにして地面に置いた状態で、駆除箱にガス供給装置を取り付けた状態を示す図、（ｂ）は（ａ）に示した状態の駆除箱に、ガス供給装置から駆除箱内に窒息性ガスとして空気より軽い窒素ガスを供給し始めた状態を示す図、（ｃ）は（ｂ）に示した状態から所定時間経過して、駆除箱内の空気が殆ど窒素ガスに置き換わった状態を示す図である。
【図９】本発明の第１の形態の変形実施例を示すものであり、（ａ）は害獣が捕獲されている駆除箱が樹脂袋に入れられ、閉じられた樹脂袋の開口部を、窒息性ガスの供給パイプと排気チューブが通る実施例を示す側面図、（ｂ）は害獣が捕獲されている駆除箱が、上部が開口するガス溜め容器の中に置かれ、ガス溜め容器に空気より重い窒息性ガスが供給される実施例を示す側面図である。
【図１０】本発明の第２の形態を示すものであり、害獣が捕獲されている駆除箱が樹脂袋に入れられ、樹脂袋の内部にガス供給源であるドライアイスから二酸化炭素が供給される実施例を示す側面図である。
【図１１】（ａ）は図９および図１０に示したハンドル付の箱体を背面側から見た斜視図、（ｂ）は（ａ）に示したハンドル付の箱体の、ハンドルの別の実施例を備えた箱体を背面側から見た斜視図である。
【図１２】（ａ）は図１１（ａ）に示した箱体を３つ重ね合わせた状態を示す箱体の側面図、（ｂ）は図１１（ｂ）に示した箱体を３つ重ね合わせた状態を示す箱体の側面図である。
【発明を実施するための形態】
【００１４】
以下、添付図面を用いて、まず、害獣の駆除セットの第１の形態の構成について説明し、次いで、第１の形態の害獣の駆除セットを用いた害獣の駆除方法について説明する。その後で、第１の形態の変形実施例の害獣の駆除セット及び第２の形態の害獣の駆除セットについて説明する。
【００１５】
図１は、本発明の第１の形態の害獣の駆除セット３０の一実施例を示すものであり、害獣の駆除セット３０を構成する各部材が示されている。本実施例の害獣の駆除セット３０は、大きく分けて、駆除箱１０と、駆除箱１０に窒息性ガスを供給するガス供給源であるガス供給装置２０とを備えている。まず、駆除箱１０の構造について説明する。
【００１６】
駆除箱１０は、後述する既存の害獣の捕獲器に接続されて使用されるものであり、捕獲器に捕獲された害獣を捕獲器から移して収容するものである。このため、既存の害獣の捕獲器には開口部として、捕獲した害獣を捕獲器から排出させる害獣排出口が、捕獲器の害獣の入口とは別に設けられていることが好ましい。しかしながら、害獣の捕獲器に開口部として害獣の捕獲口（入口）しかない場合であっても、駆除箱１０の構造を害獣の捕獲器の捕獲口の構造に適合させれば、駆除箱１０は捕獲器の害獣の捕獲口にも取り付けることが可能であるので、害獣排出口は捕獲器に必須のものではない。
【００１７】
図１に示した実施例では、駆除箱１０は、箱体１１とシャッタ板１２とを備えている。駆除箱１０を形成する箱体１１は、開口を有する害獣の入口部１３と、箱体１１の側面に設けられた少なくとも１つのガス流入口１５（本実施例では１つ）を備えている。箱体１１とシャッタ板１２は樹脂で形成することができるが、材料は特に限定されない。箱体１１とシャッタ板１２を樹脂で形成すると、箱体は入口部１３とガス流入口１５を除いて気密構造にすることができる。また、入口部１３はシャッタ板１２との密着性を高めれば入口部１３も気密にすることができる。このような箱体１１は、害獣の大きさに合った収容容積を備える。
【００１８】
本実施例では箱体１１の形状は直方体状であり、捕獲器への取り付け時に地面側となる側面１１Ｇを除いた側面は、入口部１３から底部１１Ｂにかけて、断面積が減少する方向にわずかに傾斜しており、ガス流入口１５はこの傾斜した側面に設けられている。側面に傾斜を設ける理由は、箱体１１を他の箱体１１の入口部から挿入して複数の箱体１１を重ねた時の容積を小さくするためであるが、箱体１１の側面に傾斜は無くても良い。複数の箱体１１を重ねた時の容積については後述する。また、箱体１１の外形の形状は特に限定されるものではなく、円柱状でも多角柱状でも良い。箱体１１の容積は、箱体１１に収容する害獣の重量を１ｋｇ＝１リットルとし、体重の４倍以下とすることができる。
【００１９】
箱体１１の害獣の入口部１３の周囲は、捕獲器への取り付け時に地面側となる側面１１Ｇを除いて外側に膨出されてフレーム部１１Ｆが形成されており、側面１１Ｇの反対側にあるフレーム部１１Ｆには、シャッタ板挿入口１６が設けられている。また、側面１１Ｇの両側にあるフレーム部１１Ｆの内側には、シャッタ板挿入口１６から挿入されたシャッタ板１２を側面１１Ｇの内面までスライドさせるガイド溝１７が設けられている。入口部１３を開閉するシャッタ板１２はシャッタ板挿入口１６から挿入され、ガイド溝１７にガイドされて側面１１Ｇの内面まで達することができる。シャッタ板１２は、対向するガイド溝１７内をスライドできる幅と厚さを備えており、シャッタ板１２のスライド方向の長さは、シャッタ板１２の先端部が側面１１Ｇの内面まで達した時に、後端部がシャッタ板挿入口１６から突出する長さである。
【００２０】
更に、側面１１Ｇの両側にあるフレーム部１１Ｆの外側には、既存の捕獲器に箱体１１を接続して固定するための取付部１４が設けられている。本実施例では取付部１４には貫通孔があり、図示を省略したネジを挿通して箱体１１を捕獲器に螺着させるようになっているが、取付部１４の構造は捕獲器側の構造に合わせれば良いので、その構造は特に限定されるものではない。すなわち、取付部１４は、箱体１１の入口部１３が捕獲器の開口部に重なるように捕獲器に接続できる構造であれば、どのような構造でも良いものである。
【００２１】
次に、ガス供給源であるガス供給装置２０について説明する。ガス供給装置２０は、害獣を収容した駆除箱１０の箱体１１内に、窒息性ガスを供給し、箱体１１内を窒息性ガスで満たして害獣を殺処分するものである。窒息性ガスには空気より重いガスと、空気より軽いガスがある。空気は世界中どこでも成分はほぼ一定であり、酸素が約２１％、窒素が約７８％、アルゴンが約１％、二酸化炭素が０．１％未満の混合気体である。ガスの重さはガスを構成する気体の分子量で計算することができ、二酸化炭素ガスは空気より重い窒息性ガスであり、窒素ガスは空気より軽い窒息性ガスである。
【００２２】
ここではまず、窒息性ガスとして、空気より重い二酸化炭素ガスを用いる実施例について説明する。二酸化炭素ガスを用いる一つの実施例では、ガス供給装置２０は、ガスボンベ２１と圧力調整器２２及び接続チューブ２３を備える。ガスボンベ２１には、二酸化炭素ガスが液体状になって充填されている。圧力調整器２２は、ガスボンベ２１から箱体１１内に供給する二酸化炭素ガスの圧力を調整するものであり、ガスボンベ接続部２４、ガス吐出口２５、ガス圧調整ダイヤル２６及び固定リング２７を備える。接続チューブ２３は圧力調整器２２を箱体１１のガス流入口１５に接続するものであり、一端が固定リング２７で圧力調整器２２に接続され、多端が箱体１１のガス流入口１５に接続される。なお、箱体１１のガス流入口１５にバルブ等が設けられており、圧力調整器２２のガス吐出口２５から二酸化炭素を直接箱体１１内に直接供給できる場合は接続チューブ２３が不要となる。
【００２３】
ここで、図１に示した害獣の駆除セット３０を用いて捕獲器に捕獲された害獣を殺処分する手順の一例を、図２に示すフローチャート及び図３または図４を用いて説明する。なお、ここでは、捕獲器に入口とは反対側に害獣の排出用の開口があり、通常は扉で閉じられているものとする。ステップ２０１ではまず、捕獲器に害獣捕獲用のエサがセットされているかどうかを判定する。捕獲器にエサがセットされていない場合はステップ２０２に進み、捕獲器の害獣排出扉を閉じ、エサを捕獲器にセットしてステップ２０３に進む。ステップ２０１の判定で、捕獲器にエサがセットされていると判定した場合は、ステップ２０２に進まずに直接ステップ２０３に進む。
【００２４】
ステップ２０３では捕獲器に害獣が捕獲されたかどうかを判定し、捕獲されていない場合はこの手順を終了し、所定時間後にステップ２０１の判定を行う。そして、捕獲器に害獣が捕獲されていない場合は、捕獲器に害獣が捕獲されるまでステップ２０１からステップ２０３の手順を繰り返す。一方、ステップ２０３で、捕獲器に害獣が捕獲されたと判定した場合は、ステップ２０４に進む。
【００２５】
図３（ａ）はステップ２０３で捕獲器１に害獣Ａが捕獲された状態を示すものである。ここでは、害獣ＡがアライグマＡである場合について説明する。捕獲器１にアライグマＡが捕獲された状態では、捕獲器１の害獣捕獲口４は閉じられており、捕獲器１の害獣捕獲口４の反対側に設けられている害獣排出口２も害獣排出扉３で閉じられている。このように、捕獲器１にアライグマＡが捕獲された状態の時には、図１に示した駆除箱１０を捕獲器１の傍に用意する。
【００２６】
捕獲器１にアライグマＡが捕獲されたら、図２に示すステップ２０４に進み、図３（ｂ）に示すように、図示を省略した取付部を用いて捕獲器１に駆除箱１０を接続し、捕獲器１から駆除箱１０が外れないようにロックする。そして、この状態で捕獲器１の害獣排出扉３を開く。続いてステップ２０５に進み、今度は駆除箱１０のシャッタ板１２を開き、駆除箱１０の箱体１１と捕獲器１とを連通させる。駆除箱１０の箱体１１と捕獲器１とが連通すると、暗所が好きなアライグマＡは、図３（ｃ）に示すように、箱体１１の内部に入り込む。ステップ２０６では害獣（アライグマＡ）が駆除箱１０に移動したか否かを判定する。この判定は、アライグマＡが完全に駆除箱１０の箱体１１内に入り込むまで続けられる。
【００２７】
ステップ２０６において、アライグマＡが完全に駆除箱１０の箱体１１内に入り込んだと判定したらステップ２０７に進む。ステップ２０７では、駆除箱１０にシャッタ板１２を挿入して駆除箱１０の入口部を閉じ、取付部と捕獲器１とのロックを解除して、駆除箱１０を捕獲器１から切り離す。駆除箱１０を捕獲器１から切り離した状態が図３（ｄ）に示される。
【００２８】
ステップ２０７の処理が終了したらステップ２０８に進み、駆除箱１０をシャッタ板１２が上側になるようにして底部１１Ｂを地面ＧＮＤに置く。次いでステップ２０９に進み、駆除箱１０にガス供給装置２０を接続する。この状態が図４（ａ）に示される。具体的には、ガスボンベ２１を圧力調整器２２のガスボンベ接続部２４に接続し、この状態で接続チューブ２３の一端を圧力調整器２２のガス吐出口２５に接続し、他端を駆除箱１０の箱体１１に設けられたガス流入口１５に接続する。ガスボンベ２１としては、自転車のパンク修理用の小さなガスボンベを使用することができる。
【００２９】
続くステップ２１０では、ガス供給装置２０から駆除箱１０に窒息性ガス（二酸化炭素ガス）を供給して害獣（アライグマＡ）の殺処分を行う。なお、二酸化炭素ガスは以後、単に二酸化炭素と記載する。具体的には、図４（ａ）に示したガス供給装置２０の圧力調整器２２のガス圧調整ダイヤル２６を矢印で示す方向に回して所定圧力の二酸化炭素を箱体１１内に供給する。二酸化炭素は空気より重いので、箱体１１内に二酸化炭素が供給されると、図４（ｂ）に示すように、二酸化炭素は箱体１１の底部１１Ｂ側から箱体１１内に溜まっていく。このとき、箱体１１内に供給された二酸化炭素は、箱体１１が気密に形成されているので、箱体１１から外に漏れださない。そして、箱体１１内の空気は、箱体１１内に底部１１Ｂ側から二酸化炭素が溜まっていくにつれ、シャッタ板１２と箱体１１の入口部１３との隙間から排出され、やがて、図４（ｃ）に示すように、箱体１１内の空気の殆どが二酸化炭素に置き換わる。
【００３０】
箱体１１内の空気が二酸化炭素に置き換わると、箱体１１内のアライグマは呼吸ができなくなり、安楽死に至り、殺処分が終了する。ここで、安楽死と記載したのは、ヨーロッパ、アメリカ、オーストラリアでは二酸化炭素による殺処分は苦痛の少ない安楽死とされているからである。ステップ２１１は殺処分が終了したか否かを判定するものであり、殺処分が終了するまでステップ２１０に戻って箱体１１内に二酸化炭素が供給され続ける。殺処分が終了すると、アライグマは箱体１１から取り出されて処分され、駆除箱１０は捕獲器１に次のアライグマが捕獲された時に再利用される。
【００３１】
以上説明した実施例では、箱体１１の底部１１Ｂに近い場所にガス流入口１５が設けられていたが、箱体１１に供給する二酸化炭素は空気より重いので、箱体１１に設けるガス流入口１５は箱体１１のどの位置に設けても良い。図５（ａ）は、図１に示した駆除箱１０の箱体１１に設けられたガス流入口１５が、シャッタ板１２を上にして箱体１１の底部１１Ｂを地面に置いた時に、シャッタ板１２と底部１１Ｂの中間地点に設けられた実施例を示している。また、図５（ｂ）は、図１に示した駆除箱１０の箱体１１に設けられたガス流入口１５が、シャッタ板１２を上にして底部１１Ｂを地面に置いた時に、底部１１Ｂに近い場所に２つ設けられた実施例を示している。
【００３２】
一方、図５（ｃ）は、ガス供給装置２０の圧力調整器２２と箱体１１のガス流入口１５の間に熱交換器５０が設けられ、箱体１１のシャッタ板１２に近い側に設けられた空気の排気口６１に、排気ポンプ６０が設けられた実施例を示している。排気ポンプ６０が接続される排気口６１は、ガス流入口１５から離れた位置に設けられている。熱交換器５０はガスボンベ２１から吐出された低い温度の二酸化炭素を温めて箱体１１に供給するものであり、箱体１１内にいるアライグマにストレスを与えないようにするためのものである。排気ポンプ６０の使用は、箱体１１の入口部においてシャッタ板１２が箱体１１を密封しており、二酸化炭素を箱体１１内に供給しても空気が逃げない場合に有効である。なお、箱体１１の入口部に隙間がある場合であっても、排気ポンプ６０を使用して箱体１１内の空気を強制的に抜けば、箱体１１内の空気を早く二酸化炭素で置き換えることができる。
【００３３】
熱交換器５０と排気ポンプ６０としては、熱交換器５０と排気ポンプ６０が一体的に形成された形式のものを使用することができる。この形式では、熱交換器５０と排気ポンプ６０のブレードが同軸になっており、排気ガスの流れで回したタービンと同軸のコンプレッサで吸気圧を高めるターボチャージャーのように、二酸化炭素の吐出流で回した熱交換器５０の羽根車と同軸の排気ポンプの羽根車に伝えて回転させ、箱体１１内の空気が抜かれる。
【００３４】
図５（ｄ）は、駆除箱１０の地面側側面１１Ｇを地面ＧＮＤに置いた状態で、底部１１Ｂの地面ＧＮＤ側に二酸化炭素を供給する場合の実施例を示すものである。この実施例では、駆除箱１０の箱体１１の底部１１Ｂと地面側側面に近い場所にガス流入口１５が設けられており、ガス流入口１５から離れたシャッタ板１２の近傍位置に、排気口６１が設けられている。ガス流入口１５と排気口６１には、図５（ｃ）に示した熱交換器５０と排気ポンプ６０とを接続することができる。このように、箱体１１に設けるガス流入口１５の位置や数は限定されない。
【００３５】
図６（ａ）は、図１に示した駆除箱１０の箱体１１に設けられたガス流入口１５に、バルブ１８が取り付けられた実施例を示すものである。バルブ１８としては、自転車のタイヤに空気を入れるためのバルブを使用することができる。自転車用のバルブには米式と仏式があるが、バルブ１８にはどちらを使用しても良い。このように、ガス流入口１５に自転車のバルブ１８が設けられている場合は、まず、図６（ｂ）に示すように、図１に示した圧力調整器２２のガスボンベ接続部２４に自転車用のガスボンベ２１をねじ込んで取り付ける。次に、図６（ｃ）に示すように、ガスボンベ２１が取り付けられた圧力調整器２２のガス吐出口２５にある固定リング２７を回して、圧力調整器２２をバルブ１８に直接取り付けることができる。この状態で、図６（ｄ）に示すように、圧力調整器２２のガス圧調整ダイヤル２６を回せば、バルブ１８を通じて駆除箱１０内に二酸化炭素を送り込むことができる。
【００３６】
この実施例の他にも、駆除箱１０の箱体１１に設けられたガス流入口１５に、バスケットボールの空気注入口のようなゴム製の弁を取り付け、二酸化炭素をバスケットボールの空気入れ用の針を用いて箱体１１内に供給することもできる。また、箱体１１のガス流入口１５の内部側に、流入する二酸化炭素が直接アライグマに当たらないようにするディフューザーを設けた実施例も可能である。
【００３７】
図７（ａ）は、箱体１１の内部に設けるガス吸引補助具４０の一実施例を示すものである。この実施例のガス吸引補助具４０は、エサを入れるエサ箱４１、エサ箱４１に設けられた漏斗状の吸引部４４及びエサ箱４１をガス流入口１５に接続する接続パイプ４３を備えている。エサ箱４１には蓋４２を設けて置き、蓋４２を開けてアライグマが好むエサを入れることができるようにする。こうすれば、エサの匂いが吸引部４４を通じて箱体１１内に拡散させることができる。
【００３８】
エサ箱４１は図７（ｂ）に示すように、接続パイプ４３をガス流入口１５に挿入することにより、箱体１１の内部に置くことができる。この構造では、図７（ｃ）に示すように、接続パイプ４３から二酸化炭素を箱体１１内に送り込めば、エサの匂いが箱体１１内に拡散し、その匂いにつられてアライグマＡが吸引部４４に鼻を近づけるので、少量の二酸化炭素によってアライグマＡを窒息させることが可能になる。接続パイプ４３のエサ箱４１内の開口部にはディフューザーを設けて二酸化炭素の流れを弱め、二酸化炭素の流れが直接アライグマＡに当たらないようにすることができる。なお、このエサ箱４１は、図７（ｄ）に示すように、箱体１１の外部に取り付けても良い。
【００３９】
また、エサ箱４１には、エサを入れる代わりに、アライグマを呼び寄せる誘引作用を備えた芳香剤を入れることができる。更に、エサ箱４１の中に、エサの匂いや芳香剤からの香りをエサ箱４１の外部に放出するファンを設けることも可能である。ファンはバッテリで駆動すれば良い。
【００４０】
以上説明した実施例では、ガスボンベとして自転車のパンク修理用の小型のものを示したが、ガスボンベとしてはこれよりも大型のものも使用することができる。例えば、本発明のガス供給装置に使用できるガスボンベとしては、工業用のものを使用することができる。工業用のガスボンベの中にも、持ち運び可能な２Ｌ容器や１Ｌ容器のものがあるので、これらを使用すれば、大がかりなガス供給装置は不要である。
【００４１】
次に、窒息性ガスとして、空気より軽い窒素ガスを用いた実施例について図８を用いて説明する。図８（ａ）に示す窒素ガスを用いた実施例でも、ガス供給装置２０は、ガスボンベ２１と圧力調整器２２及び接続チューブ２３を備えており、ガスボンベ２１に充填された窒息性ガスが二酸化炭素ではなく、空気より軽い窒素ガスになるだけである。窒素ガスもガスボンベ２１に液体状にした状態で充填することができる。小型のガスボンベ２１がない場合は、工業用のガスボンベを使用すれば良い。
【００４２】
窒息性ガスとして、空気より軽い窒素ガスを用いた場合のアライグマの駆除手順は、図２のステップ２０１から２０７までは同じ手順で良いが、窒素ガスが空気より軽いために、ステップ２０８の手順だけが、二酸化炭素を用いた場合と異なる。二酸化炭素を用いた場合は、二酸化炭素が空気より重いために、ステップ２０８では駆除箱をシャッタ板を上にして底部を地面に置いた。一方、窒素ガスを用いた場合は、ステップ２０８において、図９（ａ）に示すように、シャッタ板を１２下にし、底部１１Ｂを上にして駆除箱１０を地面ＧＮＤに置く点が異なる。
【００４３】
続くステップ２１０では、ガス供給装置２０から駆除箱１０にガス（窒素ガス）を供給して害獣（アライグマＡ）の殺処分を行う。具体的には、図９（ａ）に示したガス供給装置２０の圧力調整器２２のガス圧調整ダイヤル２６を矢印で示す方向に回して所定圧力の窒素ガスを箱体１１内に供給する。窒素ガスは空気より軽いので、箱体１１内に窒素ガスが供給されると、図９（ｂ）に示すように、窒素ガスは箱体１１の底部１１Ｂ側から箱体１１内に溜まっていく。このとき、箱体１１に供給された窒素ガスは箱体１１から外に漏れ出ず、箱体１１内の空気は、箱体１１の底部１１Ｂ側に溜まる窒素ガスによりシャッタ板１２と箱体１１の入口部１３との隙間から排出され、やがて箱体１１内の空気の大部分が図９（ｃ）に示すように、窒素ガスに置き換わる。
【００４４】
箱体１１内が窒素ガスで満たされると、箱体１１内のアライグマは呼吸ができなくなり、死に至り、殺処分が終了する。ステップ２１１は殺処分が終了したか否かを判定するものであり、殺処分が終了するまでステップ２１０に戻って箱体１１内に窒素ガスが供給され続ける。殺処分が終了すると、アライグマは箱体１１から取り出されて処分され、駆除箱１０は捕獲器１に次ぎのアライグマが捕獲された時に再利用される。
【００４５】
図９（ａ）は本発明の第１の形態の変形実施例の害獣の駆除セットを示すものである。この変形実施例では、二酸化炭素を駆除箱１０の内部に直接供給せず、駆除箱１０をポリ袋（ポリエチレン製の袋）やビニール袋のような樹脂製の袋３１（以後、樹脂袋３１と記す）に入れて樹脂袋３１の開口部を閉じて地面ＧＮＤに置き、樹脂袋３１に二酸化炭素を供給する。樹脂袋３１は容積が大きいので、圧力調整器は使用しなくても良い。駆除箱１０の地面ＧＮＤに近い部分には多数のガス流入口１５が設けられており、箱体１１の上部には、箱体１１内の空気を抜くための排気チューブ６２が接続されている。また、樹脂袋３１に駆除箱１０を入れるために駆除箱１０を持ち上げる必要があるので、箱体１１の上部にハンドル部１９が形成されている。ハンドル部１９の形状は特に限定されるものではなく、箱体１１の上部から突出させて設けても良い。
【００４６】
図９（ａ）に示した変形実施例では、駆除箱１０が入った樹脂袋３１の開口部を閉じ具３３で閉じるが、この時に、排気チューブ６２と、外部から二酸化炭素を樹脂袋３１内に供給するためのパイプ６３とを閉じ具３３で挟み込む。図示を省略したガスボンベから吐出された二酸化炭素をパイプ６３から樹脂袋３１内に供給すると、二酸化炭素は多数のガス流入口１５から箱体１１内に入り、箱体１１内の空気は流入した二酸化炭素によって押し出されて排気チューブ６２を通じて樹脂袋３１の外に排出される。この結果、箱体１１内の空気が二酸化炭素で置き換わるので、箱体１１内のアライグマが安楽死する。駆除箱１０を樹脂袋３１の中に入れる場合は、減圧装置により予め樹脂袋３１内の空気を抜いておくと、二酸化炭素をスムーズに短時間で樹脂袋３１の中に充填することができる。減圧装置には前述の排気ポンプを使用することができる。
【００４７】
図９（ｂ）は本発明の第１の形態の別の変形実施例を示すものである。この変形実施例では、二酸化炭素を駆除箱１０の内部に直接供給せず、ガス溜め容器３２の中に供給する。ガス溜め容器３２は、駆除箱１０を上から入れる開口部３５を備え、駆除箱１０の側面に対向する壁面と底面とを備えるものである。この実施例では、駆除箱１０を開口部３５からガス溜め容器３２の中に入れて底面に置き、ガス溜め容器３２に二酸化炭素を供給する。このため、駆除箱１０の地面ＧＮＤに近い部分には多数のガス流入口１５が設けられており、箱体１１の上部には、箱体１１内の空気を抜くための排気チューブ６２が接続されている。また、ガス溜め容器３２の外壁の高さは駆除箱１０の高さと同程度であり、駆除箱１０の上部には駆除箱１０を持ち上げるためのハンドル部１９が設けられている点も前述の変形実施例と同様である。ガス溜め容器３２は二酸化炭素の漏れが小さければ組立式とすることもできる。開口部３５から二酸化炭素をガス溜め容器３２に内に供給すると、二酸化炭素は空気より重いので、多数のガス流入口１５から箱体１１内に流入して底部から溜まり、箱体１１内の空気が二酸化炭素に押し出されて排気チューブ６２を通じて外に排出される。この結果、箱体１１内の空気が二酸化炭素に置き換わるので、箱体１１内のアライグマが安楽死する。
【００４８】
図１０は本発明の第２の形態の害獣の駆除セットを示すものである。第２の形態が第１の形態と異なる点は、ガス供給源の形態である。第１の形態では、ガス供給源は、ガスボンベであったが、第２の形態では、ガス供給源が、自ら二酸化炭素を発生するドライアイスである点が異なる。ドライアイスは使用するまでは図示しない保管装置に保管されている。第２の形態における駆除箱１０は、前述の第１の形態の変形実施例における駆除箱１０と同じ構造とすることができる。
【００４９】
第２の形態では、害獣捕獲器にアライグマが捕獲されて駆除箱１０に移された後、駆除箱１０が樹脂袋３１に入れられると共に、ドライアイス２８が樹脂袋３１の内部に置かれる。なお、第２の形態では、樹脂袋３１の内部に駆除箱１０とドライアイス２８を置くためのベース板３４が予め挿入されていても良い。駆除箱１０が入った樹脂袋３１の開口部は閉じ具３３で閉じられ、この時に、閉じ具３３に排気チューブ６２が挟み込まれる。二酸化炭素はドライアイス２８から発生して樹脂袋３１内に溜まり、多数のガス流入口１５から箱体１１内に流入する。この結果、箱体１１内の空気が箱体１１内に流入する二酸化炭素によって押し出されて排気チューブ６２を通じて樹脂袋３１の外に排出され、箱体１１内の空気が二酸化炭素に置き換わって箱体１１内のアライグマが安楽死する。
【００５０】
なお、ドライアイスは気化すると体積が約８００倍になることが知られている。すると、４０リットル（４０００ｃｍ3）の樹脂袋を一杯にするドライアイスの体積は５０ｃｍ3で良いことになる。更に、二酸化炭素は１０％の濃度でもアライグマは致死に至るので、アライグマを安楽死させるのに必要なドライアイスは５ｃｍ3で良いことになる。このことから、１ｃｍ×２ｃｍ×２ｃｍ程度の大きさのドライアイスを樹脂袋の中に入れてやれば、駆除箱内のアライグマが安楽死すると考えられる。ドライアイスは水を与えて気化を早めても良い。
【００５１】
また、図５（ｃ）で説明した排気ポンプ６０を、図９（ａ）、図１０（ａ）に示した樹脂袋３１から空気を抜いて減圧する減圧ポンプとして使用することが可能である。排気ポンプ６０を用いて樹脂袋３１から空気を抜くと、樹脂袋３１がしぼむので、この状態で樹脂袋３１内に二酸化炭素を供給すれば、アライグマが安楽死に至る時間を短縮することができる。
【００５２】
一方、樹脂袋３１やガス溜め容器３２を使用する実施例では、害獣を収容した駆除箱１０を地面から持ち上げる必要がある。このため、図１１（ａ）、（ｂ）に示すように、箱体１１のフレーム部１１Ｆの後ろ側にハンドル部１９を形成した実施例が可能である。図１１（ａ）に示した実施例では、フレーム部１１Ｆの後ろ側の箱体１１の上部に、後ろ側から手を入れる窪みが設けられており、この窪みがハンドル部１９となっている。また、図１１（ａ）に示した実施例では、フレーム部１１Ｆの後ろ側に、箱体１１の上部から上方に突出する取手状のハンドル部１９が設けられている。ハンドル部１９の形状はこれらの実施例に限定されるものではない。
【００５３】
図１２（ａ）は図１１（ａ）に示した実施例の箱体１１を、他の箱体１１の入口部から挿入して３つの箱体１１を重ね合わせた状態を示している。また、図１２（ｂ）は図１１（ｂ）に示した実施例の箱体１１を、他の箱体１１の入口部から挿入して３つの箱体１１を重ね合わせた状態を示している。このように、箱体１１の側面に斜面が形成されていると、ハンドル部１９が邪魔にならずに複数の箱体１１を重ね合わせた時の容積を小さくすることができ、複数の箱体１１を保管する場所を小さくすることができる。
【００５４】
以上説明した実施例では、害獣としてアライグマの捕獲と殺処分方法について説明したが、本発明の害獣の駆除セット及びこのセットを用いた害獣の駆除方法において駆除できる害獣としては、アライグマの他にも、ハクビシンが挙げられる。また、発明の害獣の駆除セットは、ネズミやイノシシにも適用できる可能性がある。
【符号の説明】
【００５５】
１    害獣の捕獲器
２    害獣排出口
３    害獣排出扉
４    害獣捕獲口
１０    駆除箱
１１    箱体
１１Ｂ    底部
１１Ｆ    フレーム部
１１Ｇ    地面側の側面
１２    シャッタ板
１３    入口部
１４    取付部
１５    ガス流入口
１６    シャッタ板挿入口
１７    ガイド溝
１８    自転車用のバルブ
１９    ハンドル部
２０    ガス供給装置（ガス供給源）
２１    ガスボンベ
２２    圧力調整器
２３    接続チューブ
２４    ガスボンベ接続部
２５    ガス吐出口
２６    ガス圧調整ダイヤル
２７    固定リング
２８    ドライアイス
３０    害獣の駆除セット
３１    樹脂袋
３２    ガス溜め容器
３３    閉じ具
４０    ガス吸引補助具
４１    エサ箱
４２    蓋
４３    接続パイプ
４４    吸引部
５０    熱交換器
６０    排気ポンプ
６１    排気口
６２    排気チューブ
６３    パイプ
Ａ    害獣（アライグマ）
【図１】
2020156384.tif 000003
【図２】
2020156384.tif 000004
【図３】
2020156384.tif 000005
【図４】
2020156384.tif 000006
【図５】
2020156384.tif 000007
【図６】
2020156384.tif 000008
【図７】
2020156384.tif 000009
【図８】
2020156384.tif 000010
【図９】
2020156384.tif 000011
【図１０】
2020156384.tif 000012
【図１１】
2020156384.tif 000013
【図１２】
2020156384.tif 000014